(57)【特許請求の範囲】
【請求項１】
被洗浄車両に対して前後に相対移動する洗車機本体と、前記洗車機本体に設けられて被洗浄車両を洗浄するサイドブラシとを備えた洗車機であって、
前記サイドブラシが独立に回転駆動される同軸の第１ブラシ部及び第２ブラシ部を有し、
第１ブラシ部及び第２ブラシ部は軸方向に並設されており、
第１ブラシ部及び第２ブラシ部がそれぞれ回転軸であるシャフトと、固定具により前記シャフトの周面に固定した長尺なシート状のブラシ体とを有し、
第１ブラシ部及び第２ブラシ部のそれぞれにおいて、前記ブラシ体をその長手方向の中央部の折曲部を前記固定具により保持して前記シャフトに固定し、
第２ブラシ部の上方に配した第１ブラシ部に設けられる前記ブラシ体が上下複数段に並設されるとともに、第１ブラシ部の最下段の前記ブラシ体には補強部が設けられ、
前記補強部は前記ブラシ体の長手方向に沿って延びて前記固定具により前記シャフトに固定されるとともに、前記シャフト上で前記ブラシ体の内周側に重ねられる内周部と、外周側に重ねられる外周部とを有し、
前記ブラシ体の両面の一方の面が前記ブラシ体の内周側で、前記ブラシ体の両面の他方の面が前記ブラシ体の外周側であり、
前記ブラシ体の外周側は、前記ブラシ体の両面のうち、前記ブラシ体を前記折曲部で折り曲げたときに折り曲げ線を挟む両側が互いに対向することとなる面であり、
複数の前記固定具が軸方向に沿って並んでおり、
前記補強部が複数の前記固定具により固定され、前記補強部の下端を前記シャフトから離れるに従い上方に傾斜する傾斜面に形成したことを特徴とする洗車機。
【請求項２】
被洗浄車両に対して前後に相対移動する洗車機本体と、前記洗車機本体に設けられて被洗浄車両を洗浄するサイドブラシとを備えた洗車機であって、
前記サイドブラシが独立に回転駆動される同軸の第１ブラシ部及び第２ブラシ部を有し、
第１ブラシ部及び第２ブラシ部は軸方向に並設されており、
第１ブラシ部及び第２ブラシ部がそれぞれ回転軸であるシャフトと、固定具により前記シャフトの周面に固定した長尺なシート状のブラシ体とを有し、
第１ブラシ部及び第２ブラシ部のそれぞれにおいて、前記ブラシ体をその長手方向の中央部の折曲部を前記固定具により保持して前記シャフトに固定し、
第２ブラシ部の上方に配した第１ブラシ部に設けられる前記ブラシ体が上下複数段に並設されるとともに、第１ブラシ部の最下段の前記ブラシ体には補強部が設けられ、
前記補強部は前記ブラシ体の長手方向に沿って延びて前記固定具により前記シャフトに固定されるとともに、前記シャフト上で前記ブラシ体の内周側に重ねられる内周部と、外周側に重ねられる外周部とを有し、
前記ブラシ体の両面の一方の面が前記ブラシ体の内周側で、前記ブラシ体の両面の他方の面が前記ブラシ体の外周側であり、
前記ブラシ体の外周側は、前記ブラシ体の両面のうち、前記ブラシ体を前記折曲部で折り曲げたときに折り曲げ線を挟む両側が互いに対向することとなる面であり、
前記シャフトに嵌合してボルトにより固定されるスリーブを備えるとともに前記ブラシ体が前記スリーブに固定され、
前記ボルトが前記固定具に対して周方向に異なる位置に配され、
前記内周部の下端が前記ボルトよりも上方に配されることを特徴とする洗車機。
【請求項３】
前記補強部の前記内周部と前記外周部とが上端で連結されることを特徴とする請求項１または請求項２に記載の洗車機。
【請求項４】
前記補強部と前記ブラシ体とが同じ材料から形成されることを特徴とする請求項１〜３のいずれかに記載の洗車機。
【請求項５】
被洗浄車両を洗浄する回転ブラシであって、
独立に回転駆動される同軸の第１ブラシ部及び第２ブラシ部を有し、
第１ブラシ部及び第２ブラシ部は軸方向に並設されており、
第１ブラシ部及び第２ブラシ部がそれぞれ回転軸であるシャフトと、固定具により前記シャフトの周面に固定した長尺なシート状のブラシ体とを有し、
第１ブラシ部及び第２ブラシ部のそれぞれにおいて、前記ブラシ体をその長手方向の中央部の折曲部を前記固定具により保持して前記シャフトに固定し、
第２ブラシ部の上方に配した第１ブラシ部に設けられる前記ブラシ体が上下複数段に並設され、最下段の第１ブラシ部の前記ブラシ体には補強部が設けられ、
前記補強部は前記ブラシ体の長手方向に沿って延びて前記固定具により前記シャフトに固定されるとともに、前記シャフト上で前記ブラシ体の内周側に重ねられる内周部と、前記シャフト上で前記ブラシ体の外周側に重ねられる外周部とを有し、
前記ブラシ体の両面の一方の面が前記ブラシ体の内周側で、前記ブラシ体の両面の他方の面が前記ブラシ体の外周側であり、
前記ブラシ体の外周側は、前記ブラシ体の両面のうち、前記ブラシ体を前記折曲部で折り曲げたときに折り曲げ線を挟む両側が互いに対向することとなる面であり、
複数の前記固定具が軸方向に沿って並んでおり、
前記補強部が複数の前記固定具により固定され、前記補強部の下端を前記シャフトから離れるに従い上方に傾斜する傾斜面に形成したことを特徴とする回転ブラシ。
【請求項６】
被洗浄車両を洗浄する回転ブラシであって、
独立に回転駆動される同軸の第１ブラシ部及び第２ブラシ部を有し、
第１ブラシ部及び第２ブラシ部は軸方向に並設されており、
第１ブラシ部及び第２ブラシ部がそれぞれ回転軸であるシャフトと、固定具により前記シャフトの周面に固定した長尺なシート状のブラシ体とを有し、
第１ブラシ部及び第２ブラシ部のそれぞれにおいて、前記ブラシ体をその長手方向の中央部の折曲部を前記固定具により保持して前記シャフトに固定し、
第２ブラシ部の上方に配した第１ブラシ部に設けられる前記ブラシ体が上下複数段に並設され、最下段の第１ブラシ部の前記ブラシ体には補強部が設けられ、
前記補強部は前記ブラシ体の長手方向に沿って延びて前記固定具により前記シャフトに固定されるとともに、前記シャフト上で前記ブラシ体の内周側に重ねられる内周部と、前記シャフト上で前記ブラシ体の外周側に重ねられる外周部とを有し、
前記ブラシ体の両面の一方の面が前記ブラシ体の内周側で、前記ブラシ体の両面の他方の面が前記ブラシ体の外周側であり、
前記ブラシ体の外周側は、前記ブラシ体の両面のうち、前記ブラシ体を前記折曲部で折り曲げたときに折り曲げ線を挟む両側が互いに対向することとなる面であり、
前記シャフトに嵌合してボルトにより固定されるスリーブを備えるとともに前記ブラシ体が前記スリーブに固定され、
前記ボルトが前記固定具に対して周方向に異なる位置に配され、
前記内周部の下端が前記ボルトよりも上方に配されることを特徴とする回転ブラシ。
【請求項７】
前記補強部の前記内周部と前記外周部とが上端で連結されることを特徴とする請求項５または請求項６に記載の回転ブラシ。
【請求項８】
前記補強部と前記ブラシ体とが同じ材料から形成されることを特徴とする請求項５〜７のいずれかに記載の回転ブラシ。
【発明の詳細な説明】
【技術分野】
【０００１】
本発明は、洗車機用の回転ブラシ及びサイドブラシを備えた洗車機に関する。
【背景技術】
【０００２】
給油所等に設置される従来の洗車機は特許文献１に開示されている。洗車機は被洗浄車両に対して前後方向に移動させる洗車機本体を備えている。洗車機本体は左右の対向する２つのスタンド部と、スタンド部の上端を連結する天井部とを有して被洗浄車両を跨いで門型に形成される。
【０００３】
洗車機本体には洗浄部及び乾燥部が設けられている。洗浄部は被洗浄車両の上面を洗浄するトップブラシと側面及び後面を洗浄するサイドブラシを備えている。サイドブラシは独立に回転駆動される同軸の第１ブラシ部及び第２ブラシ部を軸方向に並設している。第１ブラシ部は第２ブラシ部よりも上方に配され、第１ブラシ部及び第２ブラシ部はそれぞれシャフト及びブラシ体を有している。各シャフトは上下に延びて第１ブラシ部及び第２ブラシ部の回転軸を形成する。ブラシ体はシャフトの周面に固定される発泡樹脂（スポンジ）や布等により形成されている。
【０００４】
乾燥部はサイド送風ノズル及びトップ送風ノズルを有している。サイド送風ノズルは左右のスタンド部のそれぞれに設けられ、被洗浄車両ＣＡの側面に向けて送風する。トップ送風ノズルは天井部に設けられ、被洗浄車両ＣＡの上面に向けて送風する。
【０００５】
上記構成の洗車機において、ユーザが洗車条件を設定すると、洗車機本体が被洗浄車両に対して前後方向に移動し、洗浄部による被洗浄車両の洗浄が開始される。サイドブラシにより被洗浄車両を洗浄する際に、第１ブラシ部にドアミラー等の装備品が接触する場合がある。この時、第１ブラシ部のブラシ体の回転を停止又は第２ブラシ部に対して減速し、第２ブラシ部のブラシ体を回転させて被洗浄車両の側面を洗浄する。これにより、装備品の破損を防止することができる。
【０００６】
また、洗浄部による洗浄に続き、乾燥部により空気を被洗浄車両に送風して被洗浄車両を乾燥させる。
【先行技術文献】
【特許文献】
【０００７】
【特許文献１】特開２００５−２６３２２３  号公報
【発明の概要】
【発明が解決しようとする課題】
【０００８】
しかしながら、上記従来の洗車機によると、サイドブラシの第１ブラシ部のブラシ体が低速回転時または停止時に自重によって内周部分で折曲する。この時、第１ブラシ部のブラシ体の先端が第１ブラシ部よりも高速で回転する第２ブラシ部に絡まることや第１ブラシ部のブラシ体の先端が第１ブラシ部と第２ブラシ部との分割している部分のシャフト等に絡まることがある。これにより、第１ブラシ部のブラシ体が破損する問題があった。また、第１ブラシ部のブラシ体の先端が第２ブラシ部に絡まり、第２ブラシ部の回転数が低下して洗浄力が低下する問題もあった。
【０００９】
本発明はサイドブラシの破損を防止して洗浄力を向上できる洗車機を提供することを目的とする。また本発明は破損を防止して洗浄力を向上できる回転ブラシを提供することを目的とする。
【課題を解決するための手段】
【００１０】
上記目的を達成するために本発明は、被洗浄車両に対して前後に相対移動する洗車機本体と、前記洗車機本体に設けられて被洗浄車両を洗浄するサイドブラシとを備えた洗車機において、前記サイドブラシが独立に回転駆動される同軸の第１ブラシ部及び第２ブラシ部を軸方向に並設して形成されるとともに、第１ブラシ部及び第２ブラシ部がそれぞれ回転軸を形成するシャフトと、固定具により前記シャフトの周面に固定したシート状のブラシ体とを有し、第２ブラシ部の上方に配した第１ブラシ部に設けられる前記ブラシ体が上下複数段に並設されるとともに、第１ブラシ部の最下段の前記ブラシ体には補強部が設けられ、前記補強部は前記ブラシ体の長手方向に沿って延びて前記固定具により前記シャフトに固定されるとともに、前記シャフト上で前記ブラシ体の内周側に重ねられる内周部と、外周側に重ねられる外周部とを有することを特徴とする。
【００１１】
また、本発明は上記構成の洗車機において、前記補強部の前記内周部と前記外周部とが上端で連結されることを特徴とする。
【００１２】
また、本発明は上記構成の洗車機において、前記補強部が軸方向に複数の前記固定具により固定され、下端を前記シャフトから離れるに従い上方に傾斜する傾斜面に形成したことを特徴とする。
【００１３】
また、本発明は上記構成の洗車機において、前記補強部と前記ブラシ体とが同じ材料から形成されることを特徴とする。
【００１４】
また、本発明は上記構成の洗車機において、前記シャフトに嵌合してボルトにより固定されるスリーブを備えるとともに前記ブラシ体が前記スリーブに固定され、前記ボルトが前記固定具に対して周方向に異なる位置に配され、前記内周部の下端が前記ボルトよりも上方に配されることを特徴とする。
【００１５】
また本発明は、被洗浄車両を洗浄する回転ブラシにおいて、前記回転ブラシが独立に回転駆動される同軸の第１ブラシ部及び第２ブラシ部を軸方向に並設して形成されるとともに、第１ブラシ部及び第２ブラシ部がそれぞれ回転軸を形成するシャフトと、固定具により前記シャフトの周面に固定したシート状のブラシ体とを有し、第２ブラシ部の上方に配した第１ブラシ部に設けられる前記ブラシ体が上下複数段に並設され、最下段の第１ブラシ部の前記ブラシ体には補強部が設けられ、前記補強部は前記ブラシ体の長手方向に沿って延びて前記固定具により前記シャフトに固定されるとともに、前記シャフト上で前記ブラシ体の内周側に重ねられる内周部と、前記シャフト上で前記ブラシ体の外周側に重ねられる外周部とを有したことを特徴とする。
【発明の効果】
【００１６】
本発明によると、第２ブラシ部の上方に配した第１ブラシ部のシャフト上でブラシ体の内周側に重ねられる内周部と外周側に重ねられる外周部とを有した補強部を備える。このため、第１ブラシ部のブラシ体が低速回転時や停止時に内周部分で自重による折曲を防止され、第２ブラシ部との絡まりを防止できる。従って、サイドブラシの破損を防止するとともに洗浄力を向上する洗車機を提供することができる。また、破損を防止するとともに洗浄力を向上できる回転ブラシを提供することができる。
【図面の簡単な説明】
【００１７】
【図１】本発明の第１実施形態の洗車機を示す側面図
【図２】本発明の第１実施形態の洗車機を示す正面図
【図３】本発明の第１実施形態の洗車機のサイドブラシを示す正面図
【図４】図３のＡ−Ａ線断面図
【図５】本発明の第１実施形態の洗車機のサイドブラシの上部を示す正面図
【図６】本発明の第１実施形態の洗車機のサイドブラシのブラシ体を展開した展開図
【図７】本発明の第１実施形態の洗車機のサイドブラシの補強部を展開した展開図
【図８】本発明の第１実施形態の洗車機の補強部及びブラシ体をシャフトに取り付けた正面図
【図９】図３のＢ−Ｂ線断面図
【図１０】本発明の第２実施形態の洗車機のサイドブラシの補強部周辺の側面断面図
【発明を実施するための形態】
【００１８】
以下に本発明の実施形態を図面を参照して説明する。図１、図２は本発明の第１実施形態の洗車機ＷＡを示す側面図及び正面図である。洗車機ＷＡは洗車機本体１、レール２及びリモートパネル７Ａを備えている。洗車機本体１は左右の対向する２つのスタンド部９０と、スタンド部９０の上端を連結する天井部９１とを有した門型に形成される。
【００１９】
レール２は地面Ｇ上に左右一対設けられ、スタンド部９０の底面に設けた車輪３がレール２上に配される。これにより、洗車機本体１はレール２上に立設し、走行モータ（不図示）の駆動によりレール２上を走行して被洗浄車両ＣＡに対して前後に相対移動する。
【００２０】
リモートパネル７Ａは洗車機本体１の進入経路ＳＴ上に配される。被洗浄車両ＣＡはリモートパネル７Ａの面前で停車し、ユーザは被洗浄車両ＣＡ内からリモートパネル７Ａの操作によって洗車条件の設定を行う。
【００２１】
リモートパネル７Ａに設けたボタンにより、シャンプー、ワックス掛け、撥水コート等に使用する液剤を用いた洗車条件を設定することができる。また、フロントガード有り、フェンダーポール有り、サイドミラー有り、リヤワイパ有り、ルーフキャリア有り等の装備品の設定もすることができる。
【００２２】
スタンド部９０には洗剤やワックス等の各種液剤を貯液した複数の貯液タンク（不図示）を収納するタンク収納部３０が配される。タンク収納部３０の上方には市水及び各貯液タンクからの液剤を分配する分配配管部３１が設けられる。分配配管部３１には噴射ノズルからなる第１、第２浄水ノズル１１、１３、第１、第２洗剤ノズル１２、１５、撥水コートノズル１４、ワックスノズル１６がそれぞれ電磁弁（不図示）を介して導出される。
【００２３】
第１、第２浄水ノズル１１、１３は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対してシャンプーなどの液体を噴射する。撥水コートノズル１４及びワックスノズル１６は洗車機本体１の後面に配される。撥水コートノズル１４は被洗浄車両ＣＡに対して撥水コート剤の液体を噴射する。ワックスノズル１６は被洗浄車両ＣＡに対して液体のワックスを噴射する。
【００２４】
洗車機本体１の前面上部、側部には車両形状センサ８、９が設けられている。車両形状センサ８、９は光電センサや超音波センサ等から成り、洗車機本体１に進入する被洗浄車両ＣＡの外面形状や装備品を検知する。
【００２５】
洗車機本体１の一方のスタンド部９０の前面には操作パネル７が配される。操作パネル７は洗車条件を設定するリモートパネル７Ａと同様の操作ボタン（不図示）を備えている。
【００２６】
洗車機本体１には気流を発生して被洗浄車両ＣＡを乾燥させるブロア２０が設けられる。ブロア２０にはトップ送風ノズル２１及びサイド送風ノズル２２が接続される。トップ送風ノズル２１は天井部９１に設けられ、被洗浄車両ＣＡの上面に向けて送風する。サイド送風ノズル２２は洗車機本体１の両側部にそれぞれ設けられ、被洗浄車両ＣＡの側面に向けて送風する。
【００２７】
洗車機本体１には被洗浄車両ＣＡ上に摺動して駆動モータ（不図示）により回転してブラッシングするトップブラシ４、ロッカーブラシ６及びサイドブラシ５が設けられている。トップブラシ４は天井部９１に設けられ、被洗浄車両ＣＡの上面に沿って移動して被洗浄車両ＣＡの上面を洗浄する。ロッカーブラシ６は左右のスタンド部９０の下部に設けられ、被洗浄車両ＣＡの両側面の下部を洗浄する。サイドブラシ５は左右のスタンド部９０に設けられ。サイドブラシ５によって被洗浄車両ＣＡの前面、両側面及び後面が洗浄される。
【００２８】
図３は洗車機ＷＡのサイドブラシ５の正面図を示し、図４は図３のＡ−Ａ線断面図を示している。サイドブラシ５は軸方向に並設される第１ブラシ部４０及び第２ブラシ部５０を有している。第１ブラシ部４０はシャフト４６に嵌合されたスリーブ５７の周面に取り付けられるブラシ体４１を有している。ブラシ体４１は上下方向に複数段（本実施形態では５段）に配され、各段にそれぞれスリーブ５７上の周方向に複数（本実施形態では８個）設けられる。各ブラシ体４１は後述するように軸方向に平行な折曲部Ｋ１（図６参照）上で複数のリベット等の固定具３３により固定される。
【００２９】
第１ブラシ部４０の最下段のブラシ体４１には詳細を後述する補強部７０が設けられている。
【００３０】
第２ブラシ部５０はシャフト５６に嵌合されたスリーブ５８の周面に取り付けられるブラシ体５１及びブラシ体５２を有している。ブラシ体５１は上下方向に複数段（本実施形態では５段）に配され、ブラシ体５１よりも下方に配されるブラシ体５２も上下方向に複数段（本実施形態では２段）に配される。
【００３１】
ブラシ体４１と同様に、ブラシ体５１及びブラシ体５２は各段にそれぞれスリーブ５８上の周方向に複数（本実施形態では８個）設けられる。また、ブラシ体４１と同様に各ブラシ体５１及び各ブラシ体５２は軸方向に平行な折曲部Ｋ１（図６参照）上でリベット等の固定具３３により固定される。なお、スリーブ５７、５８はアルミニウムパイプ等により形成され、シャフト４６、５６は鉄やステンレス等により形成されている。
【００３２】
ブラシ体４１及びブラシ体５２の外周端はブラシ体５１の外周端よりも外側に配される。ブラシ体４１、ブラシ体５１及びブラシ体５２は後述するようにシート状に形成されるため、第１、第２ブラシ部４０、５０の回転停止時に先端が下方に垂れているが、回転すると遠心力によって径方向に広がる。
【００３３】
本実施形態では、第１、第２ブラシ部４０、５０の回転時のブラシ体４１の直径Ｄ１が９８０ｍｍ、ブラシ体５２の直径Ｄ３が９８０ｍｍ、ブラシ体５１の直径Ｄ４が８５０ｍｍに形成される。これにより、サイドブラシ５は上下方向の中央部の外径が小さい凹状に形成される。尚、ブラシ体４１、ブラシ体５１及びブラシ体５２の各段のピッチＤ２はそれぞれ１００ｍｍに形成される。また、スリーブ５７の直径Ｄ８は６０ｍｍであり、スリーブ５８の直径も同様の大きさで形成されている。
【００３４】
サイドブラシ５の上方には駆動部２３が設けられている。図５はサイドブラシ５の上部を示す正面図である。駆動部２３は第１ブラシ部４０及び第２ブラシ部５０（図３参照）を回転駆動する。駆動部２３のハウジング２３ａ内にはモータ２４及びモータ２５が設けられている。
【００３５】
ハウジング２３ａ内には下面からシャフト４６及びシャフト５６が挿入される。シャフト４６は上下に延びて中空に形成され、第１ブラシ部４０の回転軸を形成する。シャフト５６はシャフト４６に挿通され、第１ブラシ部４０の下方に配した第２ブラシ部５０の回転軸を形成する。また、シャフト４６はスリーブ５７に嵌合して挿通され、スリーブ５７の周面に設けた貫通孔５７ｂを介してボルト６２（図９参照）により固定される。シャフト５６はスリーブ５８（図３参照）に嵌合して挿通され、スリーブ５８の周面に設けた貫通孔（不図示）を介してボルト（不図示）により固定されている。
【００３６】
モータ２４のモータ軸２４ａにはギヤ２６ａが連結される。ギヤ２６ａはシャフト４６の上端に設けたギヤ２６ｂに噛合する。モータ２５のモータ軸２５ａにはギヤ２７ａが連結される。ギヤ２７ａはシャフト５６の上端に設けたギヤ２７ｂに噛合する。これにより、モータ２４、２５の駆動によって同軸に配されたシャフト４６及びシャフト５６が回転し、第１ブラシ部４０及び第２ブラシ部５０が独立に回転駆動される。
【００３７】
図６は固定前の一のブラシ体４１を展開した展開図を示している。ブラシ体４１は発泡樹脂（スポンジ）や布等によって矩形のシート状に形成され、長手方向の中央部の折曲部Ｋ１と短手方向の中央部の折曲部Ｋ２で折曲される。ブラシ体４１は折曲部Ｋ２で折曲した後、折曲部Ｋ２を上にして折曲部Ｋ１上の貫通孔４８に固定具３３（図３参照）を挿通してスリーブ５７（図３参照）に補強部７０（図４参照）とともに固定される。シャフト４６に固定されたブラシ体４１は折曲部Ｋ１上で折曲される。
【００３８】
折曲部Ｋ２で折曲してシャフト４６に固定したブラシ体４１はスリーブ５７上で径方向に重なる。この時、折曲部Ｋ２に対して上方及び下方の一方がスリーブ５７上で内周側に配される内周部６０（図４参照）を形成し、他方が外周側に配される外周部６１（図４参照）を形成する。本実施形態ではブラシ体４１の長手方向の長さＤ７は９８０ｍｍ、短手方向の長さＤ６は２００ｍｍである。
【００３９】
ブラシ体４１には外周端を開放した軸方向に垂直な複数のスリット４２が形成される。スリット４２はブラシ体４１の外周端から内周方向に延びて形成される。本実施形態ではスリット４２は２０５ｍｍに形成されている。スリット４２の内周端には円形の孔部４２ａが設けられている。孔部４２ａによってスリット４２の内周端に加わる力を分散し、スリット４２が裂けることを防止する。
【００４０】
隣接するスリット４２の間には外周端を開放してスリット４２よりも短いスリット４７が設けられる。これにより、被洗浄車両ＣＡ（図１参照）に接触するブラシ体４１の外周端を柔軟に形成し、被洗浄車両ＣＡの傷を防止することができる。本実施形態ではスリット４７は８０ｍｍに形成されている。
【００４１】
また、シャフト５６に固定前のブラシ体５１、５２はブラシ体４１と同様の素材によりシート状に形成される。ブラシ体５１、５２は矩形に形成され、ブラシ体４１のスリット４２、４７や貫通孔４８と同様のスリット（不図示）や貫通孔（不図示）を有している。そして、ブラシ体５１、５２は短手方向の中央部の折曲部で折曲した後、長手方向の中央部の折曲部上でスリーブ５８に固定される。
【００４２】
図７は固定前の一の補強部７０を展開した展開図を示している。補強部７０は８角形のシート状に形成され、ブラシ体４１と同じ発泡樹脂や布等によって形成されている。補強部７０には図中、上方に偏って左右に延びる折曲部Ｋ５が設けられている。補強部７０には固定具３３が貫通する貫通孔７１ｂ、７１ｃ、７１ｄが設けられ、貫通孔７１ｂと貫通孔７１ｄとは折曲線Ｋ５に対して対称な位置に設けられている。補強部７０の左右方向の長さＤ９は２００ｍｍに形成されている。補強部７０は下端をスリーブ５７から離れる従い上方に傾斜する傾斜面７０ｅ、７０ｆに形成している。
【００４３】
図８は補強部７０及びブラシ体４１をシャフト４６に取り付けた正面図を示し、図９は図３のＢ−Ｂ線断面図を示している。補強部７０は折曲部Ｋ５で折曲され、ブラシ体４１の長手方向に沿って延びてブラシ体４１の上端を挟む。そして、補強部７０の貫通孔７１ｂ、７１ｃ、７１ｄ、ブラシ体４１の貫通孔４８及びスリーブ５７の貫通孔５７ａに挿通した固定具３３により補強部７０及びブラシ体４１がスリーブ５７に固定される。スリーブ５７に固定されたブラシ体４１及び補強部７０はそれぞれ折曲部Ｋ１、折曲部Ｋ４で折曲される。
【００４４】
補強部７０は折曲によりブラシ体４１の上端を挟むため、シャフト４６上でブラシ体４１の内周側に重ねられる内周部７１と外周側に重ねられる外周部７２とが形成される。内周部７１と外周部７２とは上端で折曲部Ｋ５を含む連結部７３により連結される。
【００４５】
また、第１ブラシ部４０の下方から２段目から最上段のブラシ体４１は補強部７０を省いて上記と同様に固定具３３によりスリーブ５７に固定される。これにより、第１ブラシ部４０の各ブラシ体４１はスリーブ５７と一体にユニット化され、スリーブ５７の貫通孔５７ｂに挿通されるボルト６２によりシャフト４６に固定される。
【００４６】
この時、ボルト６２を挿通する貫通孔５７ｂは固定具３３を挿通する貫通孔５７ａと周方向の異なる位置に配され、軸方向に上下に並ぶ貫通孔５７ａの中央部に配される。これにより、シャフト４６の周方向に取り付けられる複数のブラシ体４１の間にボルト６２を配してスリーブ５７を容易にシャフト４６に取り付けることができる。また、補強部７０の下端がボルト６２よりも上方に配される。これにより、スリーブ５７を更に容易にシャフト４６に取り付けることができる。本実施形態において補強部７０の上下方向の長さＤ１０は９５ｍｍであり、ブラシ体４１の上下方向の長さの半分以上に形成される。即ち、ブラシ体４１の上下方向の長さ（Ｄ６の半分の１００ｍｍ）と略同一に形成されている。
【００４７】
上記構成の洗車機ＷＡにおいて、ユーザが運転して被洗浄車両ＣＡをリモートパネル７Ａの面前で停車させ、被洗浄車両ＣＡの洗車条件の設定を被洗浄車両ＣＡ内から行う。
【００４８】
洗車条件を設定した後、ユーザは所定の洗浄開始位置まで被洗浄車両ＣＡを移動させる。そして、洗車機本体１が前後向に移動して車両形状センサ８、９により被洗浄車両ＣＡの形状を検出し、トップブラシ４、サイドブラシ５及びロッカーブラシ６による洗浄が行われる。
【００４９】
車両形状センサ８、９によりサイドブラシ５の第１ブラシ部４０が被洗浄車両ＣＡのドアミラー等を検知すると、装備品が設けられる領域では第１ブラシ部４０の回転を停止又は第２ブラシ部５０に対して減速する。この時、第１ブラシ部４０の最下段のブラシ体４１には補強部７０の内周部７１及び外周部７２が重ねられ、ブラシ体４１及び補強部７０が重なる部分のコシが強くなる。このため、第１ブラシ部４０の低速回転時や停止時にブラシ体４１の内周部分での自重による折曲が防止され、ブラシ体４１と第２ブラシ部５０との絡まりが防止される。また、第１ブラシ部４０と第２ブラシ部５０との間の分割部分（シャフト４６、５６等）への絡まりも同時に防止される。
【００５０】
尚、補強部７０の内周部７１及び外周部７２はブラシ体４１の上端部に重なっていればブラシ体４１の内周部分での折曲を防止できる。このため、補強部７０の下端部に傾斜面７０ｅ、７０ｆを設け、ブラシ体４１の下部のコシを弱くしている。これにより、最下段のブラシ体４１を被洗浄車両ＣＡに柔軟に接触させることができ、サイドブラシ５の洗浄力を向上することができる。
【００５１】
トップブラシ４、サイドブラシ５及びロッカーブラシ６による洗浄に続き、サイド送風ノズル２２及びトップ送風ノズル２１による乾燥がおこなわれて洗車が終了する。
【００５２】
本実施形態によると、第２ブラシ部５０の上方に配した第１ブラシ部４０のシャフト４６上でブラシ体４１の内周側に重ねられる内周部７１と外周側に重ねられる外周部７２とを有した補強部７０を備える。このため、第１ブラシ部４０のブラシ体４１が低速回転時や停止時に内周部分で自重による折曲を防止され、第２ブラシ部５０との絡まりを防止できる。従って、サイドブラシ５の破損を防止するとともに洗浄力を向上する洗車機ＷＡを提供することができる。
【００５３】
また、補強部７０は内周部７１と外周部７２とが上端で連結されているため、より強力に第１ブラシ部４０のブラシ体４１の上端を補強している。これにより、補強部７０を１つの部材により形成してコストを削減する。また、第１ブラシ部４０のブラシ体４１が低速回転時や停止時に内周部分で自重による折曲するためには、ブラシ体４１、内周部７１及び外周部７２の３つが同時に折曲する必要があるため、より一層、第１ブラシ部４０のブラシ体４１が内周部分で自重による折曲を防止する。
【００５４】
また、補強部７０が軸方向に複数の固定具３３により固定され、下端をシャフト４６から離れるに従い上方に傾斜する傾斜面７０ｅ、７０ｆに形成する。このため、ブラシ体４１の下部のコシを弱くし、最下段のブラシ体４１を被洗浄車両ＣＡに柔軟に接触させることができ、サイドブラシ５の洗浄力を向上することができる。
【００５５】
また、補強部７０とブラシ体４１とが同じ材料から形成されるため、補強部７０の製造コストを削減できる。
【００５６】
また、シャフト４６に嵌合してボルト６２により固定されるスリーブ５７を備えるとともにブラシ体４１がスリーブ５７に固定され、ボルト６２が固定具３３に対して周方向に異なる位置に配され、内周部７１の下端がボルト６２よりも上方に配される。これにより、スリーブ５７をシャフト４６にボルト６２を用いてシャフト４６に固定する際に、補強部７０の内周部７１の下端が邪魔にならない。即ち、スリーブ５７を更に容易にシャフト４６に取り付けることができる。
【００５７】
また、本実施形態において、補強部７０の上下方向の長さをブラシ体４１の上下方向の長さの半分以下にしてもよい。
【００５８】
＜第２実施形態＞
次に、図１０は第２実施形態の洗車機ＷＡのサイドブラシ５の補強部７０周辺の側面断面図を示している。説明の便宜上、前述の図１〜図９に示す第１実施形態と同様の部分には同一の符号を付している。本実施形態は固定前の補強部７０の形状が異なっている。その他の部分は第１実施形態と同様である。
【００５９】
補強部７０は内周部７１と外周部７２とが上端で連結されず、補強部７０は内周部７１及び外周部７２の２つのシートで形成されている。この時、内周部７１と外周部７２との厚みを異なるように形成してもよい。例えば、外周部７２よりも内周部７１の厚みを大きくしてもよい。本実施形態において、第１実施形態と同様の効果を奏する。
【００６０】
第１、第２実施形態において、内周部７１の上下方向の長さを長くして外周部７２と同じ長さにしてもよい。この時、内周部７１に貫通孔５７ｂに対向する位置に作業孔を設けてもよい。
【産業上の利用可能性】
【００６１】
本発明によると、サイドブラシを備えた洗車機に利用することができる。
【符号の説明】
【００６２】
１    洗車機本体
２    レール
３    車輪
４    トップブラシ
５    サイドブラシ（回転ブラシ）
６    ロッカーブラシ
２３    駆動部
２３ａ  ハウジング
２４、２５    モータ
２４ａ、２５ａ  モータ軸
２６ａ、２６ｂ、２７ａ、２７ｂ  ギヤ
３０    タンク収納部
３１    分配配管部
３３    固定具
４０    第１ブラシ部
４１    ブラシ体
４２    スリット
４２ａ  孔部
４６    シャフト（回転軸）
４７    スリット
４８    貫通孔
５０    第２ブラシ部
５１    ブラシ体
５２    ブラシ体
５６    シャフト（回転軸）
５７    スリーブ
５７ａ  貫通孔
５７ｂ  貫通孔
５８    スリーブ
６０    内周部
６１    外周部
６２    ボルト
７０    補強部
７０ｅ、７０ｆ  傾斜面
７１    内周部
７１ｂ、７１ｃ、７１ｄ  貫通孔
７２    外周部
７３    連結部
９０    スタンド部
９１    天井部
ＣＡ    被洗浄車両
Ｋ１    折曲部
Ｋ２    折曲部
Ｋ４    折曲部
Ｋ５    折曲部
ＳＴ    進入経路
ＷＡ    洗車機
【図１】
0006379820.tif 000002
【図２】
0006379820.tif 000003
【図３】
0006379820.tif 000004
【図４】
0006379820.tif 000005
【図５】
0006379820.tif 000006
【図６】
0006379820.tif 000007
【図７】
0006379820.tif 000008
【図８】
0006379820.tif 000009
【図９】
0006379820.tif 000010
【図１０】
0006379820.tif 000011